(57)【要約】【課題】傷みやすい果菜類を保護して輸送中の損傷を大幅に軽減できる衝撃吸収性を備えながら、製造コストを低減できるとともに、果菜類を収容しない状態で保管、運搬及び輸送する際に嵩張らない果菜類用緩衝材を提供する。【解決手段】柔軟性を有する気密性シート状物の２枚２，３を重ね合わせるとともに、シート状物２，３の厚み方向に貫通する貫通孔を有する形態の重合シート状物Ｂからなり、重合シート状物Ｂの外周縁及び前記貫通孔の周縁に接着部４，５を備えるとともに、逆止弁付き気体充填口７を備えることにより、重合シート状物Ｂ内に気体を充填可能とし、重合シート状物Ｂの貫通孔Ａの周りの部分を、気体充填口７から重合シート状物Ｂ内に気体を充填した際に立体状に膨らむ気体緩衝部Ｃとし、気体緩衝部Ｃにより貫通孔Ａ及びその周辺に形成された凹陥部Ｄを果菜類Ｆの収容部とした。【選択図】図４
2018062346.tif 000002
【特許請求の範囲】
【請求項１】
柔軟性を有する気密性シート状物の２枚を重ね合わせるとともに、前記シート状物の厚み方向に貫通する、単数又は複数の貫通孔を有する形態の重合シート状物からなり、
前記重合シート状物の外周縁及び前記貫通孔の周縁に接着部を備えるとともに、逆止弁付き気体充填口を備えることにより、前記重合シート状物内に気体を充填可能とし、
前記重合シート状物の前記貫通孔の周りの部分を、前記気体充填口から前記重合シート状物内に気体を充填した際に立体状に膨らむ気体緩衝部とし、
前記気体緩衝部により前記貫通孔及びその周辺に形成された凹陥部を果菜類の収容部としたことを特徴とする、
果菜類用緩衝材。
【請求項２】
前記重合シート状物の２枚を上下方向に重ねた状態でそれらを連結する連結手段、又は前記重合シート状物の１枚を中央部で折り曲げて重ねた状態で重ねた部分同士を連結する連結手段を備えてなる、
請求項１記載の果菜類用緩衝材。
【請求項３】
前記重合シート状物は平面視で矩形状である、
請求項１又は２記載の果菜類用緩衝材。
【請求項４】
前記貫通孔は平面視で多角形状、円形状又は楕円形状である、
請求項１〜３のいずれか１項記載の果菜類用緩衝材。
【請求項５】
請求項１〜４のいずれか１項記載の果菜類用緩衝材を用いて果菜類の保管又は輸送を行う、
果菜類の保管・輸送方法。
【請求項６】
請求項１〜４のいずれか１項記載の果菜類用緩衝材の前記凹陥部に果菜類を収容した果菜類収容体を、さらに発泡合成樹脂製容器内に収納して果菜類の保管又は輸送を行う、
果菜類の保管・輸送方法。
【請求項７】
前記気体充填口から充填する気体の温度を、前記凹陥部に収容する果菜類に凍結又は低温障害が発生する温度より高く、かつ１０℃以下、より好ましくは５℃以下にしてなる、
請求項５又は６記載の果菜類の保管・輸送方法。
【発明の詳細な説明】
【技術分野】
【０００１】
本発明は、傷みやすい果菜類を保護するための緩衝材、及び前記緩衝材を用いた果菜類の保管・輸送方法に関する。
【背景技術】
【０００２】
イチゴ、イチジク、桃等の傷みやすい果菜類を収容物とし、前記収容物の輸送中の損傷を大幅に軽減できる衝撃吸収性を備えた容器がある（例えば、特許文献１〜３参照）。
ここで、特許文献１の容器３０（第３図）は、収納凹部３２及び内蓋３９となる軟質の弾性発泡シート３１で収容物１３を被い、その外方に、保持用凹部３５及び蓋３７となる硬質のプラスチックシート３４を設けている。
また、特許文献２の容器（図２）は、軟質の発泡材等で成形されたトレー２にイチゴ５を収容してその上面を軟質の伸縮性フィルムシート７で被い、その外方に、硬質の合成樹脂からなる容器本体１及び透明カバー６を設けている。
さらに、特許文献３の容器（図１）は、果実収納凹部８となる軟質の熱可塑性合成樹脂薄フィルム５'である果実収納緩衝材５、及び軟質の被覆フィルム１１で果実Ｆを被ったものを、上下に開口する、硬質のプラスチック製又は木製の方形枠２で支持している。
【先行技術文献】
【特許文献】
【０００３】
【特許文献１】実開昭６２−３４６５号公報
【特許文献２】特開２０１０−１６８０８３号公報
【特許文献３】特開２０１４−１６２４９２号公報
【発明の概要】
【発明が解決しようとする課題】
【０００４】
以上のような従来の衝撃吸収性を備えた容器では、傷みやすい果菜類を発泡材等の軟質部材に収容保持し、その外方にプラスチック等の硬質部材を備えることにより、輸送中における前記果菜類の傷みを軽減するように構成している。
このような容器の構成では、立体形状を有する軟質部材及び硬質部材の二重構造であることから、製造コストが増大するという問題点がある。
その上、容器が立体形状であり高さ寸法が大きいので、前記果菜類を収容しない状態で容器を保管、運搬及び輸送する際に嵩張ってスペースが増大するという問題点もある。
【０００５】
そこで本発明が前述の状況に鑑み、解決しようとするところは、傷みやすい果菜類を保護して輸送中の損傷を大幅に軽減できる衝撃吸収性を備えながら、製造コストを低減できるとともに、前記果菜類を収容しない状態で保管、運搬及び輸送する際に嵩張らない果菜類用緩衝材を提供する点にある。
【課題を解決するための手段】
【０００６】
本発明に係る果菜類用緩衝材は、前記課題解決のために、柔軟性を有する気密性シート状物の２枚を重ね合わせるとともに、前記シート状物の厚み方向に貫通する、単数又は複数の貫通孔を有する形態の重合シート状物からなり、
前記重合シート状物の外周縁及び前記貫通孔の周縁に接着部を備えるとともに、逆止弁付き気体充填口を備えることにより、前記重合シート状物内に気体を充填可能とし、
前記重合シート状物の前記貫通孔の周りの部分を、前記気体充填口から前記重合シート状物内に気体を充填した際に立体状に膨らむ気体緩衝部とし、
前記気体緩衝部により前記貫通孔及びその周辺に形成された凹陥部を果菜類の収容部としたことを特徴とする（請求項１）。
【０００７】
このような構成によれば、柔軟性を有する気密性シート状物の２枚を重ね合わせるとともに、厚み方向に貫通する貫通孔を有する形態の重合シート状物の所要箇所を熱溶着等により接着して気体を充填可能にしている。そして、重合シート状物内に気体を充填することにより、立体的に膨らんだ気体緩衝部を形成し、気体緩衝部により貫通孔及びその周辺に形成された凹陥部を果菜類の収容部としていることから、傷みやすい果菜類は凹陥部に安定保持されるとともに、気体緩衝部により衝撃吸収される。よって、果菜類用緩衝材により傷みやすい果菜類を適切に保護しながら保管、運搬又は輸送できる。
その上、充填する気体の量を変えることにより、気体緩衝部の厚みや剛性を変化させることができる。よって、気体緩衝部により形成される凹陥部に収容する傷みやすい果菜類の保護に適するように、気体緩衝部の厚みや剛性をきめ細かく設定することができる。
また、柔軟性を有する気密性シート状物の２枚を重ね合わせるとともに、厚み方向に貫通する貫通孔を有する形態の重合シート状物の所要箇所を熱溶着等により接着し、貫通孔の周りの部分を気体が充填された際に立体状に膨らむようにするだけで果菜類用緩衝材を構成できる。よって、果菜類用緩衝材の構成が簡単であるので、製造コストを低減できる。
さらに、果菜類用緩衝材に気体を充填していない状態では、平面状の形態であるとともに柔軟性を有する。よって、果菜類を収容しない状態で果菜類用緩衝材のみを保管、運搬及び輸送する際に嵩張らず、更には自由に折り畳むこともできるのでコンパクトになる。
【０００８】
ここで、前記重合シート状物の２枚を上下方向に重ねた状態でそれらを連結する連結手段、又は前記重合シート状物の１枚を中央部で折り曲げて重ねた状態で重ねた部分同士を連結する連結手段を備えてなるのが好ましい（請求項２）。
このような構成によれば、スナップボタンや面ファスナー等のワンタッチで連結できる連結手段により、上下の重合シート状物（上下２枚の重合シート状物、及び１枚の重合シート状物を折り曲げて重ねたもの）を容易に連結できる。重合シート状物の凹陥部に傷みやすい果菜類を収容し、上下の重合シート状物を連結すれば、上下の重合シート状物で前記果菜類を挟んだ状態で前記果菜類を安定保持できるとともに、前記果菜類を囲む前後、左右及び上下の気体緩衝部により衝撃吸収される。よって、緩衝材を別に設ける必要がないとともに、被覆フィルムで全体を被覆する必要がないので、緩衝材や被覆フィルムが無駄にならないとともに、緩衝材を配置したり被覆フィルムで全体を被覆する作業が不要になる。
その上、上下の重合シート状物の連結の解除も容易であるので、果菜類用緩衝材から果菜類を取り出す作業も容易になる。
【０００９】
また、前記重合シート状物は平面視で矩形状であるのがより好ましい（請求項３）。
このような構成によれば、傷みやすい果菜類を収容した果菜類用緩衝材を箱や袋に入れて保管、運搬又は輸送する際におけるスペース効率が高くなる。
【００１０】
さらに、前記貫通孔は平面視で多角形状、円形状又は楕円形状であるのが一層好ましい（請求項４）。
このような構成によれば、多角形状、円形状又は楕円形状から貫通孔の形状を選択することにより、傷みやすい果菜類を収容する凹陥部の形状が変わる。よって、収容する果菜類の形状に凹陥部の形状を合わせるように貫通孔の形状を前記形状から選択することにより、果菜類を凹陥部に保持した状態がより安定する。
その上、多角形状、円形状又は楕円形状は簡単な形状であるので、貫通孔をあける加工コストが上昇しない。
【００１１】
本発明に係る果菜類の保管・輸送方法は、前記課題解決のために、前記果菜類用緩衝材を用いて果菜類の保管又は輸送を行うものである（請求項５）。
このような果菜類の保管・輸送方法によれば、前記果菜類用緩衝材を用いて果菜類の保管又は輸送を行うので、前記果菜類用緩衝材と同様の作用効果を奏する。
【００１２】
ここで、前記果菜類用緩衝材の前記凹陥部に果菜類を収容した果菜類収容体を、さらに発泡合成樹脂製容器内に収納して果菜類の保管又は輸送を行うのが好ましい（請求項６）。
このような果菜類の保管・輸送方法によれば、果菜類用緩衝材の凹陥部に果菜類を収容した果菜類収容体を発泡合成樹脂製容器内に収納することにより、発泡合成樹脂製容器も弾力性があり衝撃吸収性に優れるので、傷みやすい果菜類を保護して保管・輸送中の損傷を軽減する効果がさらに大きくなる。
その上、発泡合成樹脂製容器は断熱性に優れるので、容器内に保冷材を収納することにより、果菜類の品質劣化を抑制できる。
【００１３】
また、前記気体充填口から充填する気体の温度を、前記凹陥部に収容する果菜類に凍結又は低温障害が発生する温度より高く、かつ１０℃以下、より好ましくは５℃以下にしてなるのがさらに好ましい（請求項７）。
このような果菜類の保管・輸送方法によれば、気体充填口から充填する気体の温度が、果菜類に凍結又は低温障害が発生する温度より高いことから、果菜類は凍結しないので細胞が破壊されず、果菜類に低温障害が発生することもない。
その上、気体充填口から充填する気体の温度が、１０℃以下、より好ましくは５℃以下の比較的低温であることから、果菜類を冷却できるので、果菜類の品質劣化を抑制できる。
【発明の効果】
【００１４】
以上のように、本発明に係る果菜類用緩衝材、及び果菜類の保管・輸送方法によれば、主に以下のような作用効果を奏する。
（１）傷みやすい果菜類は、果菜類用緩衝材の凹陥部に安定保持されるとともに、果菜類用緩衝材の気体緩衝部により衝撃吸収されるので、保管・輸送中の損傷を大幅に軽減できる。
（２）果菜類用緩衝材の構成が簡単であるので、製造コストを低減できる。
（３）果菜類を収容しない状態で果菜類用緩衝材のみを保管、運搬及び輸送する際に嵩張らず、更には自由に折り畳むこともできるのでコンパクトになる。
（４）重合シート状物の２枚を上下方向に重ねた状態でそれらを連結する連結手段、又は重合シート状物の１枚を中央部で折り曲げて重ねた状態で重ねた部分同士を連結する連結手段を備えてなるものは、緩衝材を別に設ける必要がないとともに、被覆フィルムで全体を被覆する必要がないので、緩衝材や被覆フィルムが無駄にならないとともに、緩衝材を配置したり被覆フィルムで全体を被覆する作業が不要になる。
【図面の簡単な説明】
【００１５】
【図１】本発明の実施の形態に係る果菜類用緩衝材の平面図であり、気体緩衝部に気体を充填していない状態を示している。
【図２】（ａ）は図１のＸ１−Ｘ１断面図、（ｂ）は図１のＸ２−Ｘ２断面図である。
【図３】（ａ）は図２（ａ）の断面図で気体を充填して気体緩衝部を形成した状態を、（ｂ）は図２（ｂ）の断面図で気体を充填して気体緩衝部を形成した状態を示している。
【図４】果菜類用緩衝材の凹陥部に果菜類を収容するように、上下２枚の果菜類用緩衝材を重ねて果菜類を挟んでなる果菜類収容体の分解斜視図である。
【図５】（ａ）は図４の縦断面図、（ｂ）は２枚の果菜類用緩衝材を上下方向に重ねた状態を示す縦断面図である。
【図６】１枚の果菜類用緩衝材の中央部を折り曲げて重ねる構成を示す平面図である。
【図７】２枚の果菜類用緩衝材を上下方向に重ねた状態でそれらを連結する連結手段の例を示す平面図であり、（ａ）は下側の果菜類用緩衝材の例を、（ｂ）は上側の果菜類用緩衝材の例を示している。
【図８】連結手段により上下の果菜類用緩衝材を連結した状態を示す要部拡大縦断面図である。
【図９】連結手段の別構成例を示す平面図である。
【図１０】貫通孔が単数である場合の構成例を示す平面図であり、（ａ）は貫通孔及び果菜類用緩衝材が平面視矩形である例を、（ｂ）は貫通孔及び果菜類用緩衝材が平面視円形である例を示している。
【発明を実施するための形態】
【００１６】
次に本発明の実施の形態を添付図面に基づき詳細に説明する。
なお、本明細書において、果菜類用緩衝材を水平面に置いた状態を基準として上下方向を定義し、図１の平面図のような矩形状の果菜類用緩衝材において、長辺に平行な方向を左右方向、短辺に平行な方向を前後方向とする。
【００１７】
本発明の果菜類用緩衝材は、気体を充填することにより緩衝材として機能するものである。
気体を充填していない状態を示す、図１の平面図、並びに図２（ａ）及び（ｂ）の断面図に示すように、本発明の実施の形態に係る果菜類用緩衝材１は、２枚の柔軟性を有する矩形状の気密性シート状物２，３を重ね合わせるとともに、シート状物２，３の厚み方向に貫通する、複数の矩形状の貫通孔Ａ，Ａ，…を有する形態の、平面視で矩形状の重合シート状物Ｂからなる。
気密性シート状物２，３は、例えば、それぞれナイロン製シート状物とローデンシティーポリエチレン製シート状物のラミネート物であり、ローデンシティーポリエチレンが内側になるように重ねて重合シート状物Ｂを形成する。
【００１８】
重合シート状物Ｂは、その矩形状の外周縁を熱溶着により接着してなる外周縁接着部４、矩形状の貫通孔Ａの周縁を熱溶着により接着してなる周縁接着部５，５，…、並びに、重合シート状物Ｂの長辺と貫通孔Ａの間、重合シート状物Ｂの短辺と貫通孔Ａの間、及び隣り合う貫通孔Ａ，Ａの間を、部分的に熱溶着により接着してなる、前後方向及び左右方向の短い直線状の中間接着部６，６，…を有するとともに、逆止弁付き気体充填口７を備える。
よって、重合シート状物Ｂ内に気体の通路が形成されるので、例えばハンドポンプやブロワ等により、逆止弁付き気体充填口７から重合シート状物Ｂ内に気体（例えば、空気又は窒素等）を容易に充填できるとともに、充填された気体は重合シート状物Ｂ内に封入される。
【００１９】
図３（ａ）及び（ｂ）の断面図、図４の分解斜視図、並びに図５（ａ）及び（ｂ）の縦断面図に示す気体を充填した状態では、重合シート状物Ｂの貫通孔Ａ，Ａ，…の周りの部分は、立体状に膨らむ気体緩衝部Ｃ，Ｃ，…となっており、気体緩衝部Ｃ，Ｃ，…により貫通孔Ａ，Ａ，…及びその周辺に形成された凹陥部Ｄ，Ｄ，…を、例えばイチゴ、イチジク、桃等である、傷みやすい果菜類Ｆ，Ｆ，…の収容部としている。
【００２０】
このような果菜類用緩衝材１によれば、柔軟性を有する気密性シート状物の２枚２，３を重ね合わせるとともに、厚み方向に貫通する貫通孔Ａ，Ａ，…を有する形態の重合シート状物Ｂの所要箇所を熱溶着等により接着して気体を充填可能にしている。そして、重合シート状物Ｂ内に気体を充填することにより、立体的に膨らんだ気体緩衝部Ｃ，Ｃ，…を形成し、気体緩衝部Ｃ，Ｃ，…により貫通孔Ａ，Ａ，…及びその周辺に形成された凹陥部Ｄ，Ｄ，…を果菜類Ｆ，Ｆ，…の収容部としていることから、果菜類Ｆ，Ｆは凹陥部Ｄ，Ｄ，…に安定保持されるとともに、気体緩衝部Ｃ，Ｃ，…により衝撃吸収される。よって、果菜類用緩衝材１により傷みやすい果菜類Ｆ，Ｆ，…を適切に保護しながら保管、運搬又は輸送できる。
このような果菜類用緩衝材１を用いて、具体的に、果菜類Ｆ，Ｆ，…を保管、運搬又は輸送するには、果菜類用緩衝材１の凹陥部Ｄ，Ｄ，…に収容した果菜類Ｆ，Ｆ，…を、図示はしていない被覆フィルムで、果菜類Ｆ，Ｆ，…の上部を被覆して果菜類Ｆ，Ｆ，…が振動等により上下に移動しないように保護し、凹陥部Ｄ，Ｄ，…に安定的に保持するとともに、気体緩衝部Ｃ，Ｃ，…により衝撃を吸収させて使用する。
【００２１】
その上、充填する気体の量を変えることにより、気体緩衝部Ｃ，Ｃ，…の厚みや剛性を変化させることができる。よって、気体緩衝部Ｃ，Ｃ，…により形成される凹陥部Ｄ，Ｄ，…に収容する傷みやすい果菜類Ｆ，Ｆ，…の保護に適するように、気体緩衝部の厚みや剛性をきめ細かく設定することができる。
また、２枚の柔軟性を有する矩形状の気密性シート状物２，３を重ね合わせるとともに、厚み方向に貫通する貫通孔Ａ，Ａ，…を有する形態の重合シート状物Ｂの所要箇所を熱溶着等により接着し、貫通孔Ａ，Ａ，…の周りの部分を気体が充填された際に立体状に膨らむようにするだけで果菜類用緩衝材１を構成できる。よって、果菜類用緩衝材１の構成が簡単であるので、製造コストを低減できる。
さらに、果菜類用緩衝材１に気体を充填していない状態では、平面状の形態であるとともに柔軟性を有する。よって、果菜類Ｆ，Ｆ，…を収容しない状態で果菜類用緩衝材１のみを保管、運搬及び輸送する際に嵩張らず、更には自由に折り畳むこともできるのでコンパクトになる。
【００２２】
ここで、果菜類用緩衝材１の形状（重合シート状物Ｂの形状）は、平面視で矩形状に限定されるものではないが、果菜類用緩衝材１の形状（重合シート状物Ｂの形状）を平面視で矩形状にすることにより、果菜類Ｆ，Ｆ，…を収容した果菜類用緩衝材１を箱や袋に入れて保管、運搬又は輸送する際におけるスペース効率が高くなる。
また、果菜類用緩衝材１の貫通孔Ａの形状は、平面視で矩形状に限定されるものではなく、矩形状以外の多角形状、円形状又は楕円形状であってもよい。それらの形状は簡単であるので、貫通孔Ａをあける加工コストが上昇しない。
その上、多角形状、円形状又は楕円形状から貫通孔Ａの形状を選択することにより、傷みやすい果菜類Ｆを収容する凹陥部Ｄの形状が変わる。よって、収容する果菜類Ｆの形状に凹陥部Ｄの形状を合わせるように貫通孔Ａの形状を前記形状から選択することにより、果菜類Ｆを凹陥部Ｄに保持した状態がより安定する。
【００２３】
図５（ｂ）の縦断面図のように、上下の果菜類用緩衝材１，１の凹陥部Ｄ，Ｄ，…に果菜類Ｆ，Ｆ，…を収容した状態で、図示しない被覆フィルムで全体を被覆して果菜類収容体１０とすれば、上下の重合シート状物Ｂ，Ｂで果菜類Ｆ，Ｆ，…を挟んだ状態で果菜類Ｆ，Ｆ，…を安定保持できるとともに、果菜類Ｆ，Ｆ，…を囲む前後、左右及び上下の気体緩衝部Ｃ，Ｃ，…により衝撃吸収される。
このような果菜類収容体１０を上下方向に重ねて、さらに発泡合成樹脂製容器内に収納して保管又は輸送を行う保管・輸送方法が好ましい実施態様である。ここで、発泡合成樹脂製容器の材料は、強度やコスト等の点から、例えば、発泡ポリスチレンなどが好ましい。
このような果菜類Ｆ，Ｆ，…の保管・輸送方法によれば、果菜類収容体１０を発泡合成樹脂製容器内に収納することにより、発泡合成樹脂製容器も弾力性があり衝撃吸収性に優れるので、傷みやすい果菜類Ｆ，Ｆ，…を保護して保管又は輸送中の損傷を軽減する効果がさらに大きくなる。
その上、発泡合成樹脂製容器は断熱性に優れるので、例えば、予冷した果菜類Ｆ，Ｆ，…の低温を保ったままで保持することもでき、更には、容器内に保冷材を収納することにより、果菜類Ｆ，Ｆ，…の品質劣化を抑制できる。
【００２４】
また、図６の平面図に示す果菜類用緩衝材１のように、図１の平面図の果菜類用緩衝材１の面積よりも約２倍の面積とし、矩形状の重合シート状物Ｂを、その左右方向の中央部（図中の二点鎖線である折曲部Ｇ参照）で折り曲げて重ねるように構成してもよい。
このような構成によれば、１枚の果菜類用緩衝材１（重合シート状物Ｂ）により、図５（ｂ）の縦断面図と同様に、凹陥部Ｄに果菜類Ｆを収容して上下から果菜類Ｆ，Ｆ，…を挟んだ状態で果菜類Ｆ，Ｆ，…を安定保持できるとともに、果菜類Ｆ，Ｆ，…を囲む前後、左右及び上下の気体緩衝部Ｃ，Ｃ，…により衝撃吸収される。
なお、このように折り曲げて重ねる構成の果菜類用緩衝材１（重合シート状物Ｂ）は、前後方向の中央部で折り曲げて重ねるように構成してもよい。
【００２５】
果菜類用緩衝材１（重合シート状物Ｂ）の２枚を上下方向に重ねた状態で、それらを連結する連結手段Ｅを備えるのがより好ましい実施態様である。連結手段Ｅを備えることにより、前記の被覆フィルムで全体を被覆することを省略できる。図７（ａ）及び（ｂ）の平面図、並びに図８の要部拡大縦断面は連結手段Ｅの一例を示しており、連結手段Ｅを、舌片８Ａに取り付けた凸状スナップボタン９Ａ及び凹状スナップボタン９Ｂにより構成している。
図７（ａ）の果菜類用緩衝材１と図７（ｂ）の果菜類用緩衝材１とは全く同じものであり、例えば図７（ａ）のように配置した下側の果菜類用緩衝材１に気体を充填して凹陥部Ｄ，Ｄ，…に果菜類Ｆ，Ｆ，…を載せた後、その上に図７（ｂ）のように配置した上側の果菜類用緩衝材１に気体を充填したものを重ね、図８のように凸状スナップボタン９Ａ及び凹状スナップボタン９Ｂを凹凸嵌合することにより、果菜類用緩衝材１，１を連結できる。
ここで、連結手段Ｅとして、凸状スナップボタン９Ａ及び凹状スナップボタン９Ｂではなく、重合シート状物Ｂの表裏面の一方又は両方の適宜箇所に面ファスナーを取り付けることにより、面ファスナーのループ面及びフック面を掛止するようにしてもよい。
なお、上記では図７（ａ）の果菜類用緩衝材１と図７（ｂ）の果菜類用緩衝材１とは全く同じものを使用する例を記した。このように上下に同じものを用いると、部品の点数が少なくてすむので好ましい実施態様であるが、果菜類の種類や形状によっては、上下で異なった果菜類用緩衝材１を用いて、果菜類Ｆ，Ｆ，…にとって最も適切な形状の凹陥部を形成させ、果菜類をより良く安定させることにより、僅かな損傷をも防止させることも可能である。
【００２６】
図９の平面図に示すように、２枚の果菜類用緩衝材１，１の１辺同士を、別構成の連結手段Ｅである帯状の連結片８Ｂ，８Ｂで連結したものとしてもよい。
また、図６に示す１枚の果菜類用緩衝材１を折り曲げて重ねる構成においても、重ねた部分同士を連結する連結手段を備えるのがより好ましい実施態様である。
図６のような１枚の果菜類用緩衝材１を折り曲げて重ねる構成によれば、図７（ａ）、図７（ｂ）及び図８、並びに図９に示す２枚の果菜類用緩衝材１，１を上下に配置する構成と比較して、逆止弁付き気体充填口７が１個で済むとともに、連結手段Ｅの数も減らすことができるので、使用現場での作業を効率化できる。
【００２７】
以上のような連結手段Ｅを備える構成によれば、スナップボタンや面ファスナー等のワンタッチで連結できる連結手段Ｅにより、上下の重合シート状物（上下２枚の重合シート状物Ｂ，Ｂ、及び１枚の重合シート状物Ｂを折り曲げて重ねたもの）を容易に連結できる。
重合シート状物Ｂの凹陥部Ｄ，Ｄ，…に傷みやすい果菜類Ｆ，Ｆ，…を収容し、上下の重合シート状物を連結すれば、上下の重合シート状物で果菜類Ｆ，Ｆ，…を挟んだ状態で果菜類Ｆ，Ｆ，…を安定保持できるとともに、果菜類Ｆ，Ｆ，…を囲む前後、左右及び上下の気体緩衝部Ｃ，Ｃ，…により衝撃吸収される。よって、緩衝材を別に設ける必要がないとともに、被覆フィルムで全体を被覆する必要がないので、緩衝材や被覆フィルムが無駄にならないとともに、緩衝材を配置したり被覆フィルムで全体を被覆する作業が不要になる。
その上、上下の重合シート状物の連結の解除も容易であるので、果菜類用緩衝材１から果菜類Ｆ，Ｆ，…を取り出す作業が容易になる。
【００２８】
以上の説明においては、シート状物２，３の厚み方向に貫通する貫通孔Ａが複数である場合を示したが、例えば、図１０（ａ）及び（ｂ）の平面図に示すように、貫通孔Ａは単数であってもよい。
図１０（ａ）は、貫通孔Ａ及び果菜類用緩衝材１が平面視矩形である例を、図１０（ｂ）は、貫通孔Ａ及び果菜類用緩衝材１が平面視円形である例を示している。
【００２９】
以上のような果菜類用緩衝材１の逆止弁付き気体充填口７から充填する気体の温度は、凹陥部Ｄに収容する果菜類Ｆに凍結又は低温障害が発生する温度より高く、かつ１０℃以下、より好ましくは５℃以下にするのが好ましい。
このような温度の気体を充填した果菜類用緩衝材１を用いて果菜類Ｆの保管・輸送を行うことにより、気体充填口７から充填された気体の温度が、果菜類Ｆに凍結又は低温障害が発生する温度より高いことから、果菜類Ｆは凍結しないので細胞が破壊されず、果菜類Ｆに低温障害が発生することもない。
その上、気体充填口７から充填する気体の温度が、１０℃以下、より好ましくは５℃以下の比較的低温であることから、果菜類Ｆを冷却できるので、果菜類Ｆの品質劣化を抑制できる。
【符号の説明】
【００３０】
１  果菜類用緩衝材
２，３  気密性シート状物
４  外周縁接着部
５  周縁接着部
６  中間接着部
７  逆止弁付き気体充填口
８Ａ  舌片
８Ｂ  連結片
９Ａ  凸状スナップボタン
９Ｂ  凹状スナップボタン
１０  果菜類収容体
Ａ  貫通孔
Ｂ  重合シート状物
Ｃ  気体緩衝部
Ｄ  凹陥部
Ｅ  連結手段
Ｆ  果菜類
Ｇ  折曲部
【図１】
2018062346.tif 000003
【図２】
2018062346.tif 000004
【図３】
2018062346.tif 000005
【図４】
2018062346.tif 000006
【図５】
2018062346.tif 000007
【図６】
2018062346.tif 000008
【図７】
2018062346.tif 000009
【図８】
2018062346.tif 000010
【図９】
2018062346.tif 000011
【図１０】
2018062346.tif 000012